(57)【要約】【課題】獣医や動物専門家等の指示に基づき、飼い主側でペットの個体状況に応じた適切な給餌を簡単に行うことを可能にするペットフードの調合システムを提供する。【解決手段】ａ）複数種の肉類について、単位重量当たりの栄養素の含有量を比較し、プレミックスとして栄養素を補充配合することにより、異なる肉種で栄養的に均等化した定形小片状の肉類成形物からなる群と、ｂ）乾燥した膨化穀類及びフレーク状の乾燥野菜類の各複数種からなる群と、ｃ）ミネラル及びビタミン類と油脂を含む追加栄養素とを用意し、ペットの個体状況に応じて、ａ成分の群から選択した肉類成形物と、ｂ成分の群から選択した膨化穀類及び乾燥野菜類の少なくとも一方と、ｃ成分の追加栄養素とを組み合わせて１回分の給餌とする。【選択図】なし【特許請求の範囲】
【請求項１】
ａ）定形小片状の肉類成形物と、
ｂ）乾燥した膨化穀類及びフレーク状の乾燥野菜類の少なくとも一方と、
ｃ）ミネラル及びビタミン類と油脂を含む追加栄養素と、
が組み合わされてなるペットフード。
【請求項２】
前記ａ成分の肉類成形物は、細かく刻んだ肉又は魚肉素材と結合剤水溶液との混合物が凍結したものである請求項１記載のペットフード。
【請求項３】
前記ｂ成分の膨化穀類は、原料穀類を膨化機にて加熱加圧して膨化したものである請求項１又は２に記載のペットフード。
【請求項４】
前記ｂ成分の乾燥野菜類は、生野菜を温水加熱後に熱風乾燥したものである請求項１〜４のいずれかに記載のペットフード。
【請求項５】
前記ａ成分の肉類成形物が全量中の３０〜５０重量％を占める請求項１〜４のいずれかに記載のペットフード。
【請求項６】
ａ）複数種の肉類について、単位重量当たりの栄養素の含有量を比較し、その含有量の多少に応じてプレミックスとして栄養素を補充配合することにより、異なる肉種で栄養的に均等化した定形小片状の肉類成形物からなる群と、ｂ）乾燥した膨化穀類及びフレーク状の乾燥野菜類の各複数種からなる群と、ｃ）ミネラル及びビタミン類と油脂を含む追加栄養素とを用意し、
ペットの個体状況に応じて、前記ａ成分の群から選択した肉類成形物と、前記ｂ成分の群から選択した膨化穀類及び乾燥野菜類の少なくとも一方と、前記ｃ成分の追加栄養素とを組み合わせて１回分の給餌とするペットフードの調合システム。
【請求項７】
前記ａ成分の肉類成形物は細かく刻んだ肉又は魚肉素材と結合剤水溶液との混合物が凍結した状態であり、加温加水して融解させたａ成分と加水還元したｂ成分とｃ成分とを混ぜ合わせて給餌する請求項６記載のペットフードの調合システム。
【発明の詳細な説明】
【技術分野】
【０００１】
本発明は、犬や猫等のペットに与えるペットフードと、その調合システムに関する。
【背景技術】
【０００２】
従来より、犬や猫の食材として極めて多種多様なペットフードが市販されているが、嗜好性に訴える商品が多い上、食材の選択が殆どの場合に専門知識のない飼い主の好みや主観に任されるため、犬猫の種類、年齢、既往症、健康状態等の個体状況に応じた適切な給餌がなされにくく、アレルギーが発症したり、食餌の栄養バランスの偏りや過不足によって健康が悪化したり、傷病からの回復が進みにくくなることが多々あった。また、獣医や動物飼育の専門家が個々のペットの個体状況を掌握し、それに基づく給餌の栄養学的な指針を定めても、その指針に沿った給餌内容にするための簡便な統一的処方がないから、専門家側から飼い主へ的確な指示を出すこと自体が困難であった。
【発明の開示】
【発明が解決しようとする課題】
【０００３】
本発明は、上述の情況に鑑み、犬や猫等に与える食餌として栄養バランスの偏りや過不足を回避でき、ペットの健康維持及び健康改善に好適な食材の組合せを容易に選択して調合し得るペットフードを提供すると共に、獣医や動物飼育の専門家等の指示に基づき、飼い主側でペットの個体状況に応じた適切な給餌を簡単に行うことを可能にするペットフードの調合システムを提案するものである。
【課題を解決するための手段】
【０００４】
請求項１の発明に係るペットフードは、ａ）定形小片状の肉類成形物と、ｂ）乾燥した膨化穀類及びフレーク状の乾燥野菜類の少なくとも一方と、ｃ）ミネラル及びビタミン類と油脂を含む追加栄養素と、が組み合わされてなるものである。なお、本発明で総称的にいう「肉」の語意は鳥獣肉と共に魚肉を包含するものとする。
【０００５】
請求項２の発明は、上記請求項１のペットフードにおいて、ａ成分の肉類成形物は、細かく刻んだ肉又は魚肉素材と結合剤水溶液との混合物が凍結したものからなる構成としている。
【０００６】
請求項３の発明は、上記請求項１又は２のペットフードにおいて、ｂ成分の膨化穀類は、原料穀類を膨化機にて加熱加圧して膨化したものである構成としている。
【０００７】
請求項４の発明は、上記請求項１〜３のいずれかのペットフードにおいて、ｂ成分の乾燥野菜類は、生野菜を温水加熱後に熱風乾燥したものである構成としている。
【０００８】
請求項５の発明は、上記請求項１〜４のいずれかのペットフードにおいて、ａ成分の肉類成形物が全量中の３０〜５０重量％を占める構成としている。
【０００９】
請求項６の発明に係るペットフードの調合システムは、ａ）複数種の肉類について、単位重量当たりの栄養素の含有量を比較し、その含有量の多少に応じてプレミックスとして栄養素を補充配合することにより、異なる肉種で栄養的に均等化した定形小片状の肉類成形物からなる群と、ｂ）乾燥した膨化穀類及びフレーク状の乾燥野菜類の各複数種からなる群と、ｃ）ミネラル及びビタミン類と油脂を含む追加栄養素とを用意し、ペットの個体状況に応じて、前記ａ成分の群から選択した肉類成形物と、前記ｂ成分の群から選択した膨化穀類及び乾燥野菜類の少なくとも一方と、前記ｃ成分の追加栄養素とを組み合わせて１回分の給餌とするものである。
【００１０】
請求項７の発明は、上記請求項６のペットフードの調合システムにおいて、ａ成分の肉類成形物は細かく刻んだ肉又は魚肉素材と結合剤水溶液との混合物が凍結した状態であり、加温加水して融解させたａ成分と加水還元したｂ成分とｃ成分とを混ぜ合わせて給餌する構成としている。
【発明の効果】
【００１１】
請求項１の発明によれば、給餌として必要な栄養分の内、ａ成分の肉類成形物より蛋白質が、ｂ成分の膨化穀類より熱量源である糖質が、乾燥野菜類より繊維質及びビタミン類がそれぞれ補給され、更に不足栄養素がｃ成分にて補完され、もって栄養バランスの偏りや過不足のないペットフードを提供できる。しかして、ａ成分の肉類成形物が定形小片状であるため、その個数によって使用量を簡単に設定できると共に、ｂ成分の乾燥した膨化穀類及びフレーク状の乾燥野菜類も計量カップ等で使用量を正確に計量でき、またｃ成分も一般的に液状として得られて計量容易であるから、これらの調合を所要比率で的確に且つ極めて簡単に行える。従って、獣医や動物飼育の専門家が個々のペットを診て給餌の栄養学的あるいは病理学的な指針を定め、その指針に沿った給餌内容にするための処方を前記ａ〜ｃ成分の配合比率として的確に指示でき、この指示に基づいて飼い主側でペットの個体状況に応じた適切な給餌を極めて容易に行える。
【００１２】
請求項２の発明によれば、上記のペットフードにおいて、ａ成分の肉類成形物は細かく刻んだ肉又は魚肉素材と結合剤水溶液との混合物が凍結したものであるから、その混合物の調製時にプレミックスとして、例えば肉種による栄養分含有量の差を埋めるためのミネラルやビタミン類等の栄養素を容易に配合できると共に、その配合混合物からの成形分離によって得られる定形小片状の肉類成形物の間で栄養分含有量を均一化でき、もってより適切な給餌の調合を行える。
【００１３】
請求項３の発明によれば、上記のペットフードにおけるｂ成分の膨化穀類は、原料穀類を膨化機にて加熱加圧して膨化したものであるから、澱粉質が犬や猫のような肉食を主とする動物でも消化し易いα化状態で維持され、使用時の加水によってペットにとって食べ易い柔かな状態に容易に還元される。
【００１４】
請求項４の発明によれば、上記のペットフードにおけるｂ成分の乾燥野菜類は、温水加熱による酵素失活で日保ちがよくなると共に、熱風乾燥であるために真空乾燥のような栄養分の散逸がなく、且つ使用時の加水によって膨化穀類同様に容易に還元される。
【００１５】
請求項５の発明によれば、ａ成分の肉類成形物が全量中の特定範囲を占めることから、特に犬及び猫用として好適なペットフードが提供される。
【００１６】
請求項６の発明に係るペットフードの調合システムによれば、ａ成分の肉類成形物とｂ成分の膨化穀類及び乾燥野菜類を各々複数種から選択できるから、アレルギーや消化力の違いを始めとしてペットの個体状況に応じた適切な給餌の組合せを多く設定できる上、ａ成分の肉類成形物が異なる肉種でも栄養的に均等化しているため、その肉種の違いによって組み合わせるｂ，ｃ成分の量を調整する必要がなく、それだけ給餌の調合設定が容易になる。
【００１７】
請求項７の発明によれば、上記のペットフードの調合システムにおいて、ａ成分の凍結した肉類成形物は加温加水で融解し、細かく刻まれた肉又は魚肉素材が柔かな状態で加水還元したｂ成分とｃ成分に混ざるから、犬や猫等にとって食べやすい食餌となる。
【発明を実施するための最良の形態】
【００１８】
本発明のペットフードは、既述のように、ａ）定形小片状の肉類成形物と、ｂ）乾燥した膨化穀類及びフレーク状の乾燥野菜類の少なくとも一方と、ｃ）ミネラル及びビタミン類と油脂を含む追加栄養素とが組み合わされてなり、給餌として必要な栄養分の内、ａ成分の肉類成形物より蛋白質が、ｂ成分の膨化穀類より熱量源である糖質が、乾燥野菜類より繊維質及びビタミン類がそれぞれ補給され、更に不足栄養素がｃ成分にて補完されるから、栄養バランスの偏りや過不足のないものを提供できる。
【００１９】
しかも、ａ成分の肉類成形物が定形小片状であるため、その個数により、例えば中型犬には１５個、小型犬には１０個というように、ペットの体格や年齢、成長期か否か、健康状態等に対応して使用量を簡単に設定でき、秤で重量を計りつつ使用量を加減するような煩わしい手間が不要となる。また、ｂ成分の膨化穀類及び乾燥野菜類についても、粒状やフレーク状の乾燥物であるから、計量カップ等で使用量を容易に正確に設定できる。更に、ｃ成分も一般的に液状として得られるため、やはり計量カップ等で容易に使用量を調整できる。
【００２０】
従って、本発明のペットフードを利用すれば、獣医や動物飼育の専門家が個々のペットを診て給餌の栄養学的（あるいは病理学的）な指針を定め、その指針に沿った給餌内容にするための処方を前記ａ〜ｃ成分の配合比率として的確に指示でき、この指示に基づいて飼い主側でペットの個体状況に応じた適切な給餌を行うことが極めて容易となる。
【００２１】
本発明のペットフードの調合システムは、上述のように専門家から飼い主への指示でペットの個体状況に応じた適切な給餌を行うのに好適な方法であり、前記ａ〜ｃ成分を組み合わせて１回分の給餌とするが、ａ成分の群として異なる肉種で栄養的に均等化した複数種と、ｂ成分として乾燥した膨化穀類及びフレーク状の乾燥野菜類の各複数種とを用意し、ペットの個体状況に応じて、ａ成分の群から選択した肉類成形物と、ｂ成分の群から選択した膨化穀類及び乾燥野菜類の少なくとも一方と、ｃ成分の追加栄養素とを調合する。これにより、ａ成分の肉類成形物とｂ成分の膨化穀類及び乾燥野菜類を各々複数種から選択できるから、アレルギーや消化力の違いを始めとしてペットの個体状況に応じた適切な給餌の組合せを多く設定できる。
【００２２】
ここで、ａ成分の肉類成形物は、犬猫等の主食材になるが、量的には個々のペットにおいて給餌として必要な蛋白質量を満たすものとする。その肉の種類としては、魚肉を含めて特に制約はないが、一般的には鶏肉、羊肉、馬肉、鹿肉等が使用される。
【００２３】
しかして、肉に含まれるミネラルやビタミン類等の栄養素は当然に肉種によって含有量が異なるが、本発明では、プレミックスとしてミネラルやビタミン類等の栄養素を予め添加配合することにより、肉種の違いによる栄養素含有量の差を埋めて均等化する。これにより、ａ成分の肉類成形物の肉種が異なっても、組み合わせるｂ，ｃ成分の量を栄養素含有量に応じて調整する必要がなくなるから、それだけ給餌の調合設定が容易になる。
【００２４】
上述のようにプレミックスによって栄養素含有量を均等化するには、その各栄養素について、用意する複数種の肉の内で最も含有量が高い肉種を基準として、他の肉種に相対的不足分を補充する形にすればよい。例えば、図１（イ）のメッシュ地の棒グラフは、ある栄養素Ｎについて、６種のペットフードＦ１〜Ｆ６の調合に用いる３種の肉類成形物ａ１〜ａ３の各々に使用される肉Ｍ１〜Ｍ３における含有量を示すが、その含有量に差があるために最も高い肉Ｍ３の含有量を基準レベルＬ１とする。そして、図１（ロ）に示すように、他の肉Ｍ１，Ｍ２に対してプレミックスＰ（梨地で表す）として不足分の当該栄養素Ｎを補充することにより、肉類成形物ａ１〜ａ３の間での含有量を均等化している。なお、この栄養素Ｎについては肉Ｍ３へのプレミックスを要さないが、栄養素の種類毎に肉Ｍ１〜Ｍ３の含有量が異なるから、通常では肉Ｍ３についても他の栄養素を含むプレミックスを行うことになる。
【００２５】
図１（イ）（ロ）の仮想線で示すＬ２は当該栄養素Ｎの飼料全体としての必要量であり、例えば成犬や成長期の犬の食餌における各栄養素の必要量はＡＡＦＣＯ（米国フード検査官協会）にて規定されている。しかして、肉Ｍ１〜Ｍ３の間で含有量に差がある栄養素であっても、その最低含有量の肉の値が規定必要量Ｌ２以上である場合は、当該栄養素をプレミックスとして配合する必要はない。
【００２６】
ａ成分の定形小片状の肉類成形物を製造するには、挽き肉機等で細かく刻んだ肉又は魚肉素材と結合剤水溶液とを混合し、この混合物を浅い角皿状のような適当な成形容器に収容し、冷凍によって厚板状に成形したのち、この凍結状態の厚板状成形物を切断機で定形の角小片に裁断分離すればよい。この裁断分離した角小片は、所要量ずつ包装して冷凍保存し、給餌に使用する際に加温加水して融解させることになる。しかして、既述のプレミックスの栄養素は、前記結合剤水溶液に予め配合しておくか、該結合剤水溶液と肉素材との混合時に同時に添加混合する。なお、プレミックスには、ミネラルやビタミン類の他、油脂を加えることも好ましい。
【００２７】
上記の結合剤水溶液としては、肉類成形物を加温加水で容易に融解でき、且つ食材としての安全性を確保できるように、ゼラチンや寒天の温水溶液を用いることが推奨される。また、肉類成形物は、その使用量設定を含む取扱い性と、ペットによる食べ易さから、一辺５〜２０ｍｍ程度の略立方体とするのがよい。
【００２８】
ｂ成分のうち、乾燥した膨化穀類は、米や燕麦等の原料穀類を膨化機（所謂ポン菓子の製造機）にて加熱加圧して膨化したものであり、澱粉質がα化状態を維持して犬や猫のような肉食を主とする動物でも消化し易く、且つ使用時の加水によって容易に柔かな状態に還元されるという利点がある。そして、このような膨化穀類としては、穀物の粒自体を膨化機内で加熱加圧して開封することで膨化させたものの他、穀物の破砕物を膨化機内で加熱加圧し、これをエクストルーダーで押し出して発泡したものをカットし、更にローラーでフレーク状に圧片加工したもの等も好ましく使用できる。
【００２９】
また、ｂ成分のフレーク状の乾燥野菜類は、薄くカットしたカボチャやキャベツ等の野菜類を温水加熱後に熱風乾燥機によって乾燥し、この乾燥物をフレーク状に破砕したものが好適である。すなわち、この方法では、温水加熱による酵素失活で日保ちがよくなると共に、熱風乾燥であるために真空乾燥のような栄養分の散逸がなく、且つ前記の膨化穀類と同様に使用時の加水によって容易に還元されるという利点がある。
【００３０】
なお、前記の乾燥前の温水加熱は温水温度８０〜９０℃で数１０秒程度、熱風乾燥は６０〜７０℃程度の比較的低温で水分含有率８０％以下になるまで行うのがよい。また、熱風乾燥後には紫外線殺菌処理を行うことが推奨される。しかして、フレーク状の大きさは２０ｍｍ角程度である。
【００３１】
これらｂ成分の膨化穀類と乾燥野菜類は、通常では両方を用いることが望ましいが、ペットの健康状態等によっては一方のみを用いる場合がある。しかして、本発明のペットフードの調合システムにおいて、ｂ成分の膨化穀類及び乾燥野菜類として各々用意する複数種は、材料の穀物や野菜の種類が全体的に異なるものの他、複数種の穀物や野菜の混合物における混合比率が異なるものを含めてもよい。
【００３２】
本発明のペットフードの調合システムでは、既述のプレミックスで栄養素含有量を均等化した前記ａ成分の群から選択した肉類成形物と、前記ｂ成分の群から選択した膨化穀類及び乾燥野菜類の少なくとも一方と、前記ｃ成分の追加栄養素とで１回分の給餌を調合するが、ｃ成分についてはａ，ｂ成分の組合せの種別に関係なく共通にする、つまり同じ組成のものを同量使用することで、ペットフード全体としての必要栄養量を満たすように設定するのがよい。
【００３３】
例えば、図２（イ）は、前記６種のペットフードＦ１〜Ｆ６として、既述のように栄養素Ｎの含有量をプレミックスで均等化した肉類成形物ａ１〜ａ３に対し、ｂ成分の複数種ｂ１〜ｂ６（斜線部）を用いて異なる組合せにしたときの当該栄養素Ｎの含有量を示す。この場合、栄養素Ｎの含有量は、ペットフードＦ２，Ｆ４，Ｆ６では規定必要量Ｌ２を満たしているが、ペットフードＦ１，Ｆ３，Ｆ５では不足している。そこで、その含有量が最も少ないペットフードＦ３の不足分Δをｃ成分における当該栄養素Ｎの追加量に設定し、図２（ロ）のように、同じｃ成分の同量を全部のペットフードＦ１〜Ｆ６に一律に追加配合することにより、当該栄養素Ｎの含有量が６種のペットフードＦ１〜Ｆ６の全てで規定必要量Ｌ２を満たすようにする。
【００３４】
従って、ｃ成分の追加栄養素としては、他の各栄養素についても同様に、最も含有量が少なくなるａ，ｂ成分の組合せで規定必要量を満たし得る追加配合量を算出し、これら追加配合する各栄養素を含むものとすればよい。ただし、ａ，ｂ成分のみで全部の組合せが規定必要量を満たすことになる栄養素については、言うまでもなくｃ成分に含める必要はない。
【００３５】
このように、ｃ成分をａ，ｂ成分の組合せの種別に関係なく共通にする方式とすれば、ａ，ｂ成分の組合せ毎に異なる組成のｃ成分を調製する場合の極めて煩雑な手間が不要となるから、システム運営上で大幅なコストダウンになると共に、専門家側からの指示も簡略になり、また飼い主側での飼料調合も容易になる。なお、このような方式の調合では各ペットフードで多くの栄養素が規定必要量を越えることになるが、基本的にａ，ｂ成分の組合せで各栄養素を規定必要量に近づけ、ｃ成分で補完する形であるから、各栄養素が極端な過剰になってペットの健康を害するような懸念はない。
【実施例】
【００３６】
以下に、本発明に係るペットフードの調合システムの実施例として、用意した下記表１に示すａ成分の３種ａ１〜ａ３と、下記表２に示すｂ成分の４種ｂ１〜ｂ４の組み合わせから、６種のペットフードＦ１〜Ｆ６を調合する場合について、具体的に説明する。
【００３７】
【表１】
2008005803.tif 000002
【００３８】
【表２】
2008005803.tif 000003
【００３９】
【表３】
2008005803.tif 000004
【００４０】
〔ａ成分におけるプレミックスの算定〕
ａ成分に用いる前記３種の肉類について、ミネラル及びビタミン類の含有量を測定し、各栄養素の含有量が最大となる肉種を基準（当該栄養素のプレミックスなし）として、肉４００ｇ当たりのプレミックスの量を算定した。その結果を次の表４に示す。なお、ビタミンＡ、パントテン酸、ナイアシン、葉酸については、いずれの肉も規定必要量を越える含有量であったため、プレミックスは不要とした。
【００４１】
【表４】
2008005803.tif 000005
【００４２】
〔ａ成分の肉類成形物の製造〕
前記の３種の肉について、挽き肉機で径約５ｍｍの挽き肉にした各肉素材１００重量部に対し、それぞれ魚由来のゼラチン粉末５重量部を５０℃の温水１００重量部に溶解した温水溶液に所要のプレミックス液を添加したものを混合し、この混合物を矩形成形皿に厚さ約２０ｍｍに敷き詰めて収容し、冷凍機内で−３０℃以下で急速冷凍したのち、成形皿から取り出した厚板状の冷凍物を裁断して約１０ｍｍ角のサイコロ状の肉類成形物ａ１〜ａ３とし、各々の所要量をポリエチレン袋に収容して使用直前まで冷凍保存した。なお、各肉類成形物ａ１〜ａ３におけるプレミックス液の組成は、表１記載の栄養素を同表記載の比率となるように配合したものである。
【００４３】
〔ｂ成分の製造〕
膨化穀類として膨化米（脱穀した生米を膨化機内で加熱加圧後に開封して膨化）とオーツ麦（圧片加圧済みのオートミールを膨化機内で加熱加圧後に開封して膨化）の２種、ならびに乾燥野菜として共に約２０ｍｍ角のフレーク状をなすカボチャ及びキャベツの２種を用い、前記表２の４種の配合としたものを各々ポリエチレン袋入りのパックとした。
【００４４】
〔ｃ成分の追加栄養素の設定〕
プレミックスで栄養素含有量が均等化したａ成分と、ｂ成分の前記４種ｂ１〜ｂ４の各々との組合せにおける各栄養素含有量の過不足を、ＡＡＦＣＯ（前出）による成犬用の規定必要量を基準（ゼロ）として算出したところ、ｂ成分の種類ｂ１〜ｂ４によって表５に示す結果（△付きの数値は不足量）となった。そして、この結果から同表記載のように、各栄養素についてｂ成分の４種ｂ１〜ｂ４間で最大の不足量をｃ成分における追加栄養素の設定量とした。ただし、カルシウムについては、公正取引協議会の基準でリンとの比率Ｃａ／Ｐが１〜２であるため、算出値の１．１倍（１割増し）とした。
【００４５】
【表５】
2008005803.tif 000006
【００４６】
〔ペットフードの調合〕
肉類成形物ａ１〜ａ３（各２パックで計６パック）をそれぞれ容器に取り出して温水を加えて融解させる一方、ｂ成分の膨化穀類−乾燥野菜混合物ｂ１〜ｂ４（ｂ１とｂ３が１パック、ｂ２とｂ４が２パック）をそれぞれ容器に取り出して加水して復元させ、前記表３で示すａ成分とｂ成分の６種の組合せにそれぞれｃ成分の追加栄養素液と油脂（ヒマワリ油）を加える形で、各々を軽く混ぜ合わせてペットフードＦ１〜Ｆ６を調合した。なお、オート麦の脂肪含量が高いため、油脂の配合量は表２で示すように、膨化米配合のｂ１，ｂ２を用いる場合の２０ｇに対し、オート麦配合のｂ３，ｂ４を用いる場合を１０ｇと少なくしている。
【００４７】
かくして、調合したペットフードＦ１〜Ｆ６は、ａ成分の肉類成形物におけるプレミックスによる栄養素の個別配合と、ｃ成分としての栄養素の一律配合により、いずれもが成犬用として適正な飼料になっている。従って、この実施例のような手順により、ペットフード用としてａ成分に用いる肉類ならびにｂ成分に用いる膨化穀類及び乾燥野菜類の代表的にものについて、予め各栄養素含有量を測定し、その測定結果からプレミックスとｃ成分の追加栄養素を設定し、これらをパック形態で用意するようにシステム化しておけば、獣医や動物飼育の専門家がペットの個体状況に応じた適正な食餌内容を能率よく簡単に指示できると共に、その指示に基づいて飼い主側でも容易に給餌を行える。
【図面の簡単な説明】
【００４８】
【図１】本発明に係るペットフードの調合システムで用いるａ成分の肉類成形物における栄養素Ｎの含有量を表す棒グラフであり、（イ）はプレミックス前の含有量、（ロ）はプレミックス後の含有量を示す。
【図２】同調合システムにおける同栄養素Ｎの含有量を表す棒グラフであり、（イ）はａ成分とｂ成分による含有量、（ロ）はａ，ｂ成分にｃ成分を加えた状態の含有量を示す。
【符号の説明】
【００４９】
ａ１〜ａ３  肉類成形物
ｂ１〜ｂ６  ｂ成分
ｃ          ｃ成分
Ｆ１〜Ｆ６  ペットフード
Ｌ１        基準レベル
Ｌ２        規定必要量
Ｍ１〜Ｍ３  肉類
Ｎ          栄養素
Ｐ          プレミックス
【図１】
2008005803.tif 000007
【図２】
2008005803.tif 000008